(57)【要約】【課題】単位セルごとに確実に封止を行うことができ、これによって薄型化が可能となり、しかも電極板に対する接触圧力が十分でない場合でも、十分な出力を得ることができる燃料電池を提供する。【解決手段】板状の固体高分子電解質１と、その一方側に配置されたカソード側電極板２と、他方側に配置されたアノード側電極板３と、カソード側電極板２の表面に配置され内面側へのガスの流通を可能とするカソード側金属板４と、アノード側電極板３の表面に配置され内面側への燃料の流通を可能とするアノード側金属板５とを備える燃料電池であって、両側の金属板４，５の周縁を電気的に絶縁した状態で機械的に封止してあり、前記カソード側金属板４又はアノード側金属板５の少なくとも一方の内側面には、貴金属の被覆層を形成してある。【選択図】図２
2006236740.tif 000002
【特許請求の範囲】
【請求項１】
板状の固体高分子電解質と、その固体高分子電解質の一方側に配置されたカソード側電極板と、他方側に配置されたアノード側電極板と、前記カソード側電極板の表面に配置され内面側へのガスの流通を可能とするカソード側金属板と、前記アノード側電極板の表面に配置され内面側への燃料の流通を可能とするアノード側金属板と、を備える燃料電池であって、
前記両側の金属板の周縁を電気的に絶縁した状態で機械的に封止してあると共に、前記カソード側金属板又はアノード側金属板の少なくとも一方の内側面には、貴金属の被覆層を形成してある燃料電池。
【請求項２】
前記カソード側電極板及びアノード側電極板の少なくとも周縁部は、封止前の厚みに対して封止後の厚みが平均値で９５％以下となる状態で、前記カソード側金属板及びアノード側金属板により挟持されている請求項１記載の燃料電池。
【請求項３】
前記カソード側金属板及びアノード側金属板はニッケルからなり、その内側面には金の被覆層が形成されている請求項１又は２に記載の燃料電池。
【発明の詳細な説明】
【技術分野】
【０００１】
本発明は、一対の金属板によって正負の電極板と固体高分子電解質とを挟持する構造の燃料電池に関し、特に出力を維持しながら厚みを薄くすることのできる高分子型燃料電池に関する。
【背景技術】
【０００２】
ポリマー電解質のような固体高分子電解質を使用した高分子型燃料電池は、高いエネルギー変換効率を持ち、薄型小型・軽量であることから、家庭用コージェネレーションシステムや自動車向けに開発が活発化している。かかる燃料電池の従来技術の構造として、図９に示すものが知られている（例えば、非特許文献１参照）。
【０００３】
即ち、図９に示すように、固体高分子電解質膜１００を挟んでアノード１０１とカソード１０２とを配設する。さらに、ガスケット１０３を介して一対のセパレータ１０４により挟持して単位セル１０５を構成する。各々のセパレータ１０４にはガス流路溝が形成されており、アノード１０１との接触により、還元ガス（例えば、水素ガス）の流路が形成され、カソード１０２との接触により、酸化ガス（例えば、酸素ガス）の流路が形成される。各々のガスは、単位セル１０５内の各流路を流通しながら、アノード１０１又はカソード１０２の内部に担持された触媒の作用により電極反応（電極における化学反応）に供され、電流の発生とイオン伝導が生じる。
【０００４】
この単位セル１０５を多数個積層し、単位セル１０５どうしを電気的に直列に接続して燃料電池Ｎを構成し、電極１０６は、積層した両端の単位セル１０５から取り出すことができる。このような燃料電池Ｎは、クリーンかつ高効率という特徴から、種々の用途、特に、電気自動車用電源や家庭用分散型電源として注目されている。
【０００５】
一方、近年のＩＴ技術の活発化に伴い、携帯電話、ノートパソコン、デジカメなどモバイル機器が頻繁に使用される傾向があるが、これらの電源は、ほとんどリチウムイオン二次電池が用いられている。ところが、モバイル機器の高機能化に伴って消費電力がどんどん増大し、その電源用としてクリーンで高効率な燃料電池が注目されてきている。
【０００６】
しかしながら、図９に示すような従来の構造では、構造に自由度が無いため、モバイル機器の電源として求められる薄型小型軽量化や形状の高自由度化に難があり、メンテナス性が悪いという問題もあった。また、燃料電池セル内で酸化還元ガスを相互に混合させないように供給し、かつ、密閉化することが難しく、これらの条件を満たしながら、燃料電池セルの大きさや重量を低減化することは困難であった。つまり、従来、セル部品をボルト及びナットの締結部品で相互結合して、セル部品に一定の圧力を加えていたため、シール性を確保する上で、各部材の剛性を高める必要性があり、どうしても薄型化、小型化、軽量化、自由な形状設計が困難であった。
【０００７】
ところで、図９に示すような燃料電池では、セパレータ１０４の厚みが大きいため、その剛性を十分高めたり、各部材の締め付け圧力を高めることが可能である。しかし、セルを薄型化しようとすると、各部材の材料的制限や厚みの制限、締結手段の制限などによって、集電板と電極板との接触圧力を十分維持するのが困難になる。接触圧力が不十分な場合、電極板に接触させる金属の種類によっては、接触の電気抵抗が増大し、出力が著しく低下することが判明した。
【非特許文献１】日経メカニカル別冊「燃料電池開発最前線」発行日２００１年６月２９日、発行所：日経ＢＰ社、第３章ＰＥＦＣ、３．１原理と特徴ｐ４６
【発明の開示】
【発明が解決しようとする課題】
【０００８】
そこで、本発明の目的は、単位セルごとに確実に封止を行うことができ、これによって薄型化が可能となり、しかも電極板に対する接触圧力が十分でない場合でも、十分な出力を得ることができる燃料電池を提供することにある。
【課題を解決するための手段】
【０００９】
本発明者らは、前記課題を解決するべく鋭意検討した結果、電極板に対する接触圧力が十分でない場合でも、金属板の内側面に貴金属の被覆層を形成することで、接触抵抗を低減して出力を顕著に向上できることを見出し、本発明を完成するに至った。
【００１０】
即ち、本発明の燃料電池は、板状の固体高分子電解質と、その固体高分子電解質の一方側に配置されたカソード側電極板と、他方側に配置されたアノード側電極板と、前記カソード側電極板の表面に配置され内面側へのガスの流通を可能とするカソード側金属板と、前記アノード側電極板の表面に配置され内面側への燃料の流通を可能とするアノード側金属板と、を備える燃料電池であって、前記両側の金属板の周縁を電気的に絶縁した状態で機械的に封止してあると共に、前記カソード側金属板又はアノード側金属板の少なくとも一方の内側面には、貴金属の被覆層を形成してあることを特徴とする。
【００１１】
本発明の燃料電池によると、カソード側金属板がカソード側電極板へのガスの流通を可能とし、アノード側金属板がアノード側電極板への燃料の流通を可能とすることで、各々の電極板で電極反応を生じさせることができ、金属板から電流を取り出すことができる。その際、本発明のように薄型化のために金属板を用いると、電極板との接触圧力が維持しにくくなるが、本発明では、金属板の内側面に貴金属の被覆層を形成してあるため、電極板に対する接触圧力が十分でない場合でも、接触抵抗を低減して出力を顕著に向上させることができる。また、金属板の周縁を電気的に絶縁した状態で機械的に封止しているため、両者の短絡を防止しながら、厚みをさほど増加させずに単位セルごとに確実に封止を行うことができる。これによって、セル部材に剛性が要求されなくなるため、各単位セルを大幅に薄型化することができる。
【００１２】
本発明は、上記の如き作用効果より、前記カソード側電極板及びアノード側電極板の少なくとも周縁部が、封止前の厚みに対して封止後の厚みが平均値で９５％以下となる状態で、前記カソード側金属板及びアノード側金属板により挟持されている場合に、特に有効な発明となる。
【００１３】
上記において、前記カソード側金属板及びアノード側金属板はニッケルからなり、その内側面には金の被覆層が形成されていることが好ましい。この金属の組合せによって、接触抵抗をより低減して、出力を特に顕著に向上できることができる。
【発明を実施するための最良の形態】
【００１４】
以下、本発明の実施の形態について、図面を参照しながら説明する。図１は、本発明の燃料電池の単位セルの一例を示す組み立て斜視図であり、図２は、本発明の燃料電池の単位セルの一例を示す縦断面図である。
【００１５】
本発明の燃料電池は、図１〜図２に示すように、板状の固体高分子電解質１と、その固体高分子電解質１の一方側に配置されたカソード側電極板２と、他方側に配置されたアノード側電極板３と、カソード側電極板２の表面に配置され内面側へのガスの流通を可能とするカソード側金属板４と、アノード側電極板３の表面に配置され内面側への燃料の流通を可能とするアノード側金属板５とを備えるものである。本実施形態では、アノード側金属板５に、エッチングにより燃料の流路溝９が形成され、カソード側金属板４には空気を自然供給するための開口部４ｃが形成されている例を示す。
【００１６】
固体高分子電解質１としては、従来の固体高分子膜型電池に用いられるものであれば何れでもよいが、化学的安定性及び導電性の点から、超強酸であるスルホン酸基を有するパーフルオロカーボン重合体からなる陽イオン交換膜が好適に用いられる。このような陽イオン交換膜としては、ナフィオン（登録商標）が好適に用いられる。
【００１７】
その他、例えば、ポリテトラフルオロエチレン等のフッ素樹脂からなる多孔質膜に上記ナフィオンや他のイオン伝導性物質を含浸させたものや、ポリエチレンやポリプロピレン等のポリオレフィン樹脂からなる多孔質膜や不織布に上記ナフィオンや他のイオン伝導性物質を担持させたものでもよい。
【００１８】
固体高分子電解質１の厚みは、薄くするほど全体の薄型化に有効であるが、イオン伝導機能、強度、ハンドリング性などを考慮すると、１０〜３００μｍが使用可能であるが、２５〜５０μｍが好ましい。
【００１９】
電極板２，３は、ガス拡散層としての機能を発揮して、燃料ガスや、酸化ガス及び水蒸気の供給・排出を行なうと同時に、集電の機能を発揮するものが使用できる。電極板２，３としては、同一又は異なるものが使用でき、その基材には電極触媒作用を有する触媒を担持させることが好ましい。触媒は、固体高分子電解質１と接する内面２ｂ，３ｂに少なくとも担持させるのが好ましい。
【００２０】
電極基材としては、例えば、カーボンペーパー、カーボン繊維不織布などの繊維質カーボン、導電性高分子繊維の集合体などの電導性多孔質材が使用できる。一般に、電極板２，３は、このような電導性多孔質材にフッ素樹脂等の撥水性物質を添加して作製されるものであって、触媒を担持させる場合、白金微粒子などの触媒とフッ素樹脂等の撥水性物質とを混合し、これに溶媒を混合して、ペースト状或いはインク状とした後、これを固体高分子電解質膜と対向すべき電極基材の片面に塗布して形成される。
【００２１】
一般に、電極板２，３や固体高分子電解質１は、燃料電池に供給される還元ガスと酸化ガスに応じた設計がなされる。本発明では、酸化ガスとして空気が用いられると共に、還元ガスとして水素ガスや用いられるのが好ましい。また、還元ガスの代わりに、メタノールやジメチルエーテル等を用いることもできる。
【００２２】
例えば、水素ガスと空気を使用する場合、空気が自然供給される側のカソード側電極板２では、酸素と水素イオンの反応が生じて水が生成するため、かかる電極反応に応じた設計をするのが好ましい。特に、低作動温度、高電流密度及び高ガス利用率の運転条件では、特に水が生成する空気極において水蒸気の凝縮による電極多孔体の閉塞（フラッディング）現象が起こりやすい。したがって、長期にわたって燃料電池の安定な特性を得るためには、フラッディング現象が起こらないように電極の撥水性を確保することが有効である。
【００２３】
触媒としては、白金、パラジウム、ルテニウム、ロジウム、銀、ニッケル、鉄、銅、コバルト及びモリブデンから選ばれる少なくとも１種の金属か、又はその酸化物が使用でき、これらの触媒をカーボンブラック等に予め担持させたものも使用できる。
【００２４】
電極板２，３の厚みは、薄くするほど全体の薄型化に有効であるが、電極反応、強度、ハンドリング性などを考慮すると、５０〜５００μｍが好ましい。
【００２５】
電極板２，３と固体高分子電解質１とは、予め接着、融着等を行って積層一体化しておいてもよいが、単に積層配置されているだけでもよい。このような積層体は、薄膜電極組立体（Ｍｅｍｂｒａｎｅ  Ｅｌｅｃｔｒｏｄｅ  Ａｓｓｅｍｂｌｙ：ＭＥＡ）として入手することもでき、これを使用してもよい。
【００２６】
カソード側電極板２の表面にはカソード側金属板４が配置され、アノード側電極板３の表面にはアノード側金属板５が配置される。本実施形態では、アノード側金属板５には燃料の注入口５ｃ及び排出口５ｄが設けられ、その間に流路溝９が設けられている。
【００２７】
カソード側金属板４には、空気中の酸素を供給するための開口部４ｃが設けられている。開口部４ｃは、カソード側電極板２が露出可能であれば、その個数、形状、大きさ、形成位置などは何れでもよい。但し、空気中の酸素の供給効率と、カソード側電極板２からの集電効果などを考慮すると、開口部４ｃの面積はカソード側電極板２の面積の１０〜５０％であるのが好ましく、特に２０〜４０％であるのが好ましい。
【００２８】
カソード側金属板４の開口部４ｃは、例えば規則的又はランダムに複数の円孔やスリット等を設けたり、または金属メッシュによって開口部を設けてもよい。
【００２９】
金属板４，５としては、電極反応に悪影響がないものであれば何れの金属も使用でき、例えばステンレス板、ニッケル、銅、銅合金などが挙げられる。但し、伸び、重量、弾性率、強度、耐腐食性、プレス加工性、エッチング加工性などの観点から、ステンレス板、ニッケルなどが好ましい。
【００３０】
アノード側金属板５に設けられる流路溝９は、電極板３との接触により水素ガス等の流路が形成できるものであれば何れの平面形状や断面形状でもよい。但し、流路密度、積層時の積層密度、屈曲性などを考慮すると、金属板５の一辺に平行な縦溝９ａと垂直な横溝９ｂを主に形成するのが好ましい。本実施形態では、複数本（図示した例では３本）の縦溝９ａが横溝９ｂに直列接続されるようにして、流路密度と流路長のバランスを取っている。
【００３１】
なお、このような金属板５の流路溝９の一部（例えば横溝９ｂ）を電極板３の外面に形成してもよい。電極板３の外面に流路溝を形成する方法としては、加熱プレスや切削などの機械的な方法でもよいが、微細加工を好適に行う上で、レーザ照射によって溝加工を行うことが好ましい。レーザ照射を行う観点からも、電極板２，３の基材としては、繊維質カーボンの集合体が好ましい。
【００３２】
金属板５の流路溝９に連通する注入口５ｃ及び排出口５ｄは、それぞれ１個又は複数を形成することができる。なお、金属板４，５の厚みは、薄くするほど全体の薄型化に有効であるが、強度、伸び、重量、弾性率、ハンドリング性などを考慮すると、０．１〜１ｍｍが好ましい。
【００３３】
金属板５に流路溝９を形成する方法としては、加工の精度や容易性から、エッチングが好ましい。エッチングによる流路溝９では、幅０．１〜１０ｍｍ、深さ０．０５〜１ｍｍが好ましい。また、流路溝９の断面形状は、略四角形、略台形、略半円形、Ｖ字形などが好ましい。
【００３４】
金属板４への開口部４ｃの形成、金属板４，５の外縁部の薄肉化、金属板５への注入口５ｃ等の形成についても、エッチングを利用するのが好ましい。
【００３５】
エッチングは、例えばドライフィルムレジストなどを用いて、金属表面に所定形状のエッチングレジストを形成した後、金属板４，５の種類に応じたエッチング液を用いて行うことが可能である。また、２種以上の金属の積層板を用いて、金属ごとに選択的にエッチングを行うことで、流路溝９の断面形状や薄肉化した外縁部の厚みをより高精度に制御することができる。
【００３６】
図２に示す実施形態は、金属板４，５のカシメ部（外縁部）をエッチングにより厚みを薄くした例である。このように、カシメ部をエッチングして適切な厚さにすることで、カシメによる封止をより容易に行うことができる。この観点から、カシメ部の厚みとしては、０．０５〜０．３ｍｍが好ましい。
【００３７】
本発明では、カソード側金属板４又はアノード側金属板５の少なくとも一方の内側面には、貴金属の被覆層を形成してある。その際、被覆層の形成領域は、金属板４，５の全面に行ってもよいが、少なくとも電極板２，３との接触面に形成されていればよい。
【００３８】
被覆層としては、金属板４，５の酸化を防ぎ、カーボンペーパー等の電極板２，３、及び電気取り出し端子との接触抵抗を下げるものであれば、特に限定するものではなく、一般的に、金、白金、パラジウム、ルテニウム、などの金属を挙げることができる。本発明では、貴金属が金であることが好ましく、特に、カソード側金属板４及びアノード側金属板５がニッケルからなり、その内側面には金の被覆層が形成されていることが好ましい。
【００３９】
また、金属板４，５の密着を向上するために、その貴金属の下に、他の金属を用いることも可能である。他の金属としては、ニッケル、クロム、パラジウム、銀などが好ましい。
【００４０】
貴金属の被覆層の形成方法としては、セルの金属と密着力良く、形成できるものであれば、特に限定するものではなく、様々な種類の形成方法を使うことが出来る。代表例としては、メッキ、スパッタ蒸着、イオンプレーティング、蒸着、ＣＶＤ、ＣＡＴ−ＣＶＤ、などを用いることができる。
【００４１】
被覆層の厚みは、５〜１０００ｎｍが好ましく、１０〜５００ｎｍがより好ましい。被覆層の厚みがこの範囲未満であると、接触抵抗の改善が行えず耐久性も問題となり易くなる傾向があり、この範囲を超えると、コスト的に不利になる傾向がある。
【００４２】
本発明では、前記両側の金属板４，５の周縁を電気的に絶縁した状態で機械的に封止してあるが、その際、両側の電極板２，３から固体高分子電解質１の周縁部１ａを延出させ、その周縁部１ａをこれに対向する前記金属板４，５によって挟持する構造が好ましい。機械的な封止は、例えば曲げプレス、即ち所謂カシメにより行うことができる。
【００４３】
本実施形態では、固体高分子電解質１の周縁部１ａが絶縁材料６を介在させつつ金属板４，５によって挟持されると共に、金属板４，５の周縁が、絶縁材料６を介在させつつカシメにより封止されている例を示す。電気的な絶縁は、絶縁材料６や固体高分子電解質１の周縁部、又はその両者を介在させることで行うことができる。
【００４４】
本発明では、カシメを行う際、図２に示すように、金属板４，５の外縁によって固体高分子電解質１を挟持する構造が好ましく、絶縁材料６を介在させつつ固体高分子電解質１を挟持する構造がより好ましい。このような構造によると、電極板２，３の一方から他方へのガス等の流入を効果的に防止することができる。絶縁材料６の厚みとしては、薄型化の観点から、０．１ｍｍ以下が好ましい。なお、絶縁材料をコーティングすることにより、更なる薄型化が可能である（例えば絶縁材料６の厚み１μｍも可能）。
【００４５】
絶縁材料６としては、シート状の樹脂、ゴム、熱可塑性エラストマー、セラミックスなどが使用できるが、シール性を高める上で、樹脂、ゴム、熱可塑性エラストマーなどが好ましく、特にポリプロピレン、ポリエチレン、ポリエステル、フッ素樹脂、ポリイミドが好ましい。絶縁材料６は、金属板４，５の周縁に直接あるいは粘着剤を介して貼着したり、塗布したりして、予め金属板４，５に一体化しておくことも可能である。
【００４６】
カシメ構造としては、シール性や製造の容易性、厚み等の観点から図２に示すものが好ましい。つまり、一方の金属板５の外縁部５ａを他方の外縁部４ａより大きくしておき、絶縁材料６を介在させつつ、一方の金属板５の外縁部５ａを他方の金属板４の外縁部４ａを挟圧するように折り返したカシメ構造が好ましい。このカシメ構造では、プレス加工等によって、金属板４の外縁部４ａに段差を設けておくのが好ましい。このようなカシメ構造自体は金属加工として公知であり、公知のカシメ装置によって、それを形成することができる。
【００４７】
本実施形態では、図３に示すように、カシメにより封止を行った際に、カソード側電極板２及びアノード側電極板３の少なくとも周縁部２ａ，３ａは、封止前の厚みｔ１に対して封止後の厚みｔ２が平均値で９５％以下となる状態で、カソード側金属板４及びアノード側金属板５により挟持されている。好ましくは、封止後の厚みｔ２が平均値で９０％以下であり、より好ましくは平均値で５０〜８５％である。
【００４８】
本実施形態では、カソード側金属板４及びアノード側金属板５は、電極板２，３を挟持する電極板挟持部４ｘ，５ｘと、その電極板挟持部４ｘ，５ｘの周囲に段差部４ｙ，５ｙを介して形成された周縁部４ｚ，５ｚとを備えると共に、各電極板２，３の周縁部２ａ，３ａにおける封止前の厚みｔ１に対して、段差ｄ１が６０％以下となるように段差部４ｙ，５ｙが形成されている例を示す。
【００４９】
例えば、段差ｄ１が６０％となる段差部４ｙ，５ｙを形成する場合、理論的には封止前の厚みｔ１に対して封止後の厚みｔ２が６０％となるが、実際には電極板２，３の圧縮反力による金属板４，５の変形（特に周辺部の変形）によって封止後の厚みｔ２は平均値で８０％程度になる。このため、封止前の厚みｔ１に対して、段差ｄ１が平均値で６０％以下となることが好ましく、４０％以下となるのがより好ましい。
【００５０】
本実施形態のように、カソード側金属板４の周縁部４ｚ及びアノード側金属板５の周縁部５ｚと固体高分子電解質１との間に、絶縁材料６を介在させる場合には、特に、段差ｄ１に絶縁材料６の厚みを加えた深さが、各電極板２，３の周縁部２ａ，３ａにおける封止前の厚みｔ１に対して、６０％以下となることが好ましい。
【００５１】
このような段差部４ｙ，５ｙは、予め金属板の周辺部をエッチングで薄肉化しておき、これをプレス加工して形成することが好ましい。プレス加工を好適に行う上で、加工前の段差部４ｙ，５ｙの厚みは２００〜５０μｍが好ましい。
【００５２】
本発明では、図２に示すような単位セルを１個又は複数個使用することができるが、固体高分子電解質１、一対の電極板２，３、及び一対の金属板４，５で単位セルを構成し、この単位セルを複数積層したり、同一面に配列して使用することも可能である。このようにすると、ボルト及びナットの締結部品で相互結合して、セル部品に一定の圧力を加えなくても、高出力の燃料電池を提供することができる。
【００５３】
使用の際、金属板５の燃料の注入口５ｃ及び排出口５ｄには、直接、燃料供給用のチューブを接合することも可能であるが、燃料電池の薄型化を行う上で、厚みが小さく、金属板５の表面に平行なパイプを有するチューブジョイントを設けるのが好ましい。
【００５４】
本発明の燃料電池は、薄型化が可能で小型軽量かつ自由な形状設計が可能なため、特に、携帯電話、ノートＰＣ等のモバイル機器に好適に使用することができる。
【００５５】
［他の実施形態］
（１）前述の実施形態では、図２に示すカシメ構造を採用する例を示したが、本発明では、図４（ａ）〜（ｂ）に示すようなカシメ構造を採用してもよい。
【００５６】
図４（ａ）に示すカシメ構造は、両方の金属板４，５の外縁部４ａ，５ａを折り返したカシメ構造である。この例では、金属板５には段差部を設けずに、金属板４のみに段差部を設けてある。なお、この単位セルでは、各々の電極板２，３から拡散したガスが混合しないように、金属板４，５の各々と固体高分子電解質１との間に、シール部材Ｓを介在させている。
【００５７】
更に、図４（ｂ）に示すカシメ構造は、両方の金属板４，５の外縁部４ａ，５ａを折り返さずに、別の金属板７によって、各々の金属板４，５を絶縁する絶縁材料６ａ，６ｂを介して、挟圧したカシメ構造である。この例では、金属板４および金属板５に、緩やかに傾斜する段差部を設けてある。なお、カシメ構造では、両者の金属板４，５をプレス加工せずに平板のまま使用することも可能である。
【００５８】
（２）前述の実施形態では、エッチングによりアノード側金属板に流路溝を形成する例を示したが、本発明では、プレス加工、切削などの機械的な方法により、アノード側金属板に流路溝を形成してもよい。
【００５９】
図５は、プレス加工による金属板５の変形により流路溝９を形成した例である。プレス加工により流路溝９を形成する場合、流路溝９としては幅０．１〜１０ｍｍ、深さ０．１〜１０ｍｍが好ましい。また、流路溝９の断面形状は、略四角形、略台形、略半円形、Ｖ字形などが好ましい。
【００６０】
（３）前述の実施形態では、アノード側金属板に燃料の流路溝を形成する例を示したが、本発明では、図６（ａ）〜（ｂ）に示すように、アノード側電極板３に、燃料の流路溝３ａを形成してもよい。その場合、アノード側金属板５には流路溝を設けないことも可能である。
【００６１】
また、この例では、開口部４ｃを有する側のカソード側電極板２にも、流路溝２ａを形成しているが、カソード側金属板の開口部４ｃからの空気の拡散性を高める目的で、カソード側電極板２にも流路溝２ａを形成してもよい。
【００６２】
（４）前述の実施形態では、カソード側金属板の開口部から、そのままカソード側電極板を露出させる例を示したが、本発明では、カソード側金属板に、前記開口部を覆うように疎水性の高分子多孔質膜を積層してもよい。高分子多孔質膜の積層は、カソード側金属板の内側でも外側でもよい。
【００６３】
高分子多孔質膜の平均孔径は、通気性を維持しながら水滴の漏出を防止する上で、０．０１〜３μｍが好ましい。また、高分子多孔質膜の厚みは１０〜１００μｍが好ましい。高分子多孔質膜の材質としては、ポリテトラフルオロエチレン等のフッ素樹脂、ポリプロピレンやポリエチレン等のポリオレフィン、ポリウレタン、シリコーン樹脂などが挙げられる。
【００６４】
（５）前述の実施形態では、カソード側金属板に空気を自然供給するための開口部が形成されている例を示したが、アノード側金属板と同様に、エッチングやプレス加工により、空気等の酸素含有ガスの流路溝、注入口、排出口を形成してもよい。その場合、アノード側金属板と同様に、カソード側金属板の注入口から空気等を供給しつつ発電を行う。
【実施例】
【００６５】
以下、本発明の構成と効果を具体的に示す実施例等について説明する。
【００６６】
〔実施例１〕
ニッケル板（５０ｍｍ×２６ｍｍ×０．３ｍｍ厚）に溝（幅０．８ｍｍ、深さ０．２ｍｍ、間隔１．６ｍｍ、本数２１本）、及び周辺薄肉部（厚み１００μｍ）、ガス導入、排出孔を塩化第二鉄水溶液によるエッチングにより設けた。その後、周辺薄肉部に対してプレス加工を行って段差部（段差１５０μｍ）と周縁部とを形成し、全面に金メッキ（メッキ厚０．３μｍ）してアノード側金属板とした。
【００６７】
同様に、ニッケル板（５０ｍｍ×２６ｍｍ×０．３ｍｍ厚）に貫通孔（１．０ｍｍφ、ピッチ１．５ｍｍ、個数３５０個）、及び周辺薄肉部、ガス導入、排出孔を塩化第二鉄水溶液によるエッチングにより設けた。その後、周辺薄肉部に対してプレス加工を行って段差部（段差１５０μｍ）と周縁部とを形成し、全面に金メッキ（メッキ厚０．３μｍ）してこれをカソード側金属板とした。そして絶縁シート（５０ｍｍ×２６ｍｍ×２ｍｍ幅、厚み８０μｍ）を周縁部に張り合わせた。
【００６８】
上記において、金メッキは次のようにして行った。ニッケル板の表面を脱脂、酸処理を施した後に、シアン系金メッキ処理液により、ストライクメッキを施す。そのときの電流密度は２Ａ／ｄｍ２、時間は３０秒。次に同様なシアン系金メッキ処理液により、金メッキを施す。そのときの電流密度は０．３Ａ／ｄｍ２、時間は５分。これにより、金属表面に厚み０．３μｍの金メッキを施すことが出来る。
【００６９】
また、薄膜電極組立体（４９．３ｍｍ×２５．３ｍｍ）は、下記のようにして作製した。白金触媒は、米国エレクトロケム社製２０％白金担持カーボン触媒（ＥＣ−２０−ＰＴＣ）を用いた。この白金触媒と、カーボンブラック（アクゾ社ケッチェンブラックＥＣ）、ポリフッ化ビニリデン（カイナー）を、それぞれ７５重量％、１５重量％、１０重量％の割合で混合し、ジメチルホルムアミドを、２．５重量％のポリフッ化ビニリデン溶液となるような割合で、上記白金触媒、カーボンブラック、ポリフッ化ビニリデンの混合物中に加え、乳鉢中で溶解・混合して、触媒ペーストを作製した。カーボンペーパー（東レ製ＴＧＰ−Ｈ−９０、厚み３００μｍ）を２０ｍｍ×４３ｍｍに切断し、この上に、上記のようにして作製した触媒ペースト約２０ｍｇをスパチュラにて塗布し、８０℃の熱風循環式乾燥機中で乾燥した。このようにして４ｍｇの触媒組成物が担持されたカーボンペーパーを作製した。白金担持量は、０．６ｍｇ／ｃｍ2 である。
【００７０】
上記のようにして作製した白金触媒担持カーボンペーパーと、固体高分子電解質（陽イオン交換膜）としてナフィオンフィルム（デュポン社製ナフィオン１１２、２５．３ｍｍ×４９．３ｍｍ、厚み２５μｍ）を用い、その両面に、金型を用いて、１３５℃、２ＭＰａの条件にて２分間ホットプレスした。こうして得られた薄膜電極組立体を上記の金属板２枚の中央で挟み込み、図２に示すようにカシメ合わせることで、外寸５０ｍｍ×２６ｍｍ×１．４ｍｍ厚という薄型小型のマイクロ燃料電池を得る事ができた。この燃料電池に対して、電極板の周縁部が位置する部分の厚みを測定し（等間隔で合計２０点）、各材料の厚みを考慮して、電極板周縁部の平均の圧縮率（封止後厚み／封止前厚み×１００）を求めたところ、５％であった。
【００７１】
このマイクロ燃料電池の電池特性を評価した。燃料電池特性は、セルを外部から１．３ｋｇｆ／ｃｍ２で加圧した状態で、東陽テクニカ製燃料電池評価システムを用い、室温下、アノード側に純水素ガスを流した（カソード側は大気開放とした）。ガス流量は、０．２Ｌ／ｍｉｎとした。得られた出力密度を図７に、各電流密度に対応するセル抵抗を図８に夫々示す。これとは別に、セルを２．７ｋｇｆ／ｃｍ２で加圧した状態で、同様に測定を行った結果を図７〜図８に併せて示す。
【００７２】
〔比較例１〕
実施例１において、カソード側金属板及びアノード側金属板に金メッキを施さないこと以外は、実施例１と全く同様にして燃料電池を作製し、同様にして評価を行った。その結果を図７に、各電流密度に対応するセル抵抗を図８に夫々示す。
【００７３】
〔実施例２〜４〕
実施例１において、ニッケル板の代わりにステンレス鋼板（ＳＵＳ３１６Ｌ）を用い、直接金メッキを行う代わりに予めニッケルメッキ（厚み２μｍ）した後に金メッキを行って、ニッケル／金のメッキ層（実施例２：厚み５０ｎｍ、実施例３：厚み３００ｎｍ、実施例４：厚み１０００ｎｍ）を形成すること以外は、実施例１と全く同様にして燃料電池を作製し、同様にして評価を行った。
【００７４】
その際、金メッキは実施例１と同様にして行い、ニッケルメッキは次のようにして行った。ＳＵＳ板の表面を脱脂、酸処理を施した後に、ニッケルメッキ処理液により、電気メッキを施す。そのときの電流密度は１．０Ａ／ｄｍ２、時間は１０分。これにより、金属表面に厚み２μｍのニッケルメッキを施すことが出来る。
。その結果を図７に、各電流密度に対応するセル抵抗を図８に夫々示す。
【００７５】
〔比較例２〕
実施例２において、カソード側金属板及びアノード側金属板にニッケル／金のメッキを施さないこと以外は、実施例２と全く同様にして燃料電池を作製し、同様にして評価を行った。その結果を図７に、各電流密度に対応するセル抵抗を図８に夫々示す。
【００７６】
図７および図８に示すように、ニッケルの金属板の内側面に金メッキを施す事によって、２倍以上の出力が得られることが判る（実施例１／比較例１）。また、ステンレスの金属板の内側面にニッケル／金メッキを施すことによって、２倍以上の出力が得られることが判る（実施例２〜４／比較例２）。
【００７７】
一方、出力等の測定の際に、セルの加圧力を約２倍にすると、出力の上昇と抵抗の低下が見られることから、メッキなしのニッケルやステンレスでは、接触抵抗の問題が生じていることが判り、加圧力が小さい場合では接触抵抗の問題が特に大きくなる。その場合でも、金メッキにより出力等が大きく改善できることが判る。
【００７８】
〔実施例５〕
実施例１において、カソード側金属板及びアノード側金属板に金メッキを施す代わりに、下記のようにしてステンレス鋼板（ＳＵＳ３１６Ｌ）に金のスパッタ蒸着を行うこと以外は、実施例１と全く同様にして燃料電池を作製し、同様にして評価を行った。その結果、図７及び図８の実施例２と同等の結果が得られた。
【００７９】
スパッタ蒸着は、ステンレス鋼板（ＳＵＳ３１６Ｌ）の表面を洗浄（アセトンで超音波洗浄５分）、乾燥（８０℃×５分）した後、スパッタ蒸着装置（アルバックＳＢＨ２３０６）に金属板をセットし、真空度２×１０Ｅ−５ｔｏｒｒ程度まで引き、Ａｒガスを４０ｓｃｃｍ導入し、ガス圧を２．０Ｔｏｒｒにし、ＲＦ電力を３００ＷでＡｕをスパッタ蒸着（厚み０．１μｍ）した。
【図面の簡単な説明】
【００８０】
【図１】本発明の燃料電池（単位セル）の一例を示す組み立て斜視図
【図２】本発明の燃料電池（単位セル）の一例を示す縦断面図
【図３】本発明の燃料電池（単位セル）の一例を示す組み立て部分断面図
【図４】本発明の燃料電池におけるカシメ構造の他の例を示す要部断面図
【図５】本発明の燃料電池（単位セル）の他の例を示す縦断面図
【図６】本発明の燃料電池（単位セル）の他の例を示す縦断面図であり、（ａ）は組み立て斜視図、（ｂ）は縦断面図
【図７】本発明の実施例等で得られた燃料電池の電圧と出力の関係を示すグラフ
【図８】本発明の実施例等で得られた燃料電池の電流密度とセル抵抗の関係を示すグラフ
【図９】従来の燃料電池の一例を示す組み立て斜視図
【符号の説明】
【００８１】
１            固体高分子電解質
２            カソード側電極板
２ａ          カソード側電極板の周縁部
３            アノード側電極板
３ａ          アノード側電極板の周縁部
４            カソード側金属板
４ｃ          開口部
５            アノード側金属板
５ｃ          注入口
５ｄ          排出口
６            絶縁材料
９            流路溝
【図１】
2006236740.tif 000003
【図２】
2006236740.tif 000004
【図３】
2006236740.tif 000005
【図４】
2006236740.tif 000006
【図５】
2006236740.tif 000007
【図６】
2006236740.tif 000008
【図７】
2006236740.tif 000009
【図８】
2006236740.tif 000010
【図９】
2006236740.tif 000011